(57)【要約】【課題】電装品箱を吸込ダクト内に取り付けるようにして、室内機の近傍に電装品箱取付用の特別なスペースを設けることを不要にしたダクト型空気調和機を提供する。【解決手段】室内機１０と、該室内機１０の制御を行う電装品箱３０と、室内機１０の吹出開口１１に接続される吹出ダクト７０と、室内機１０の吸込開口１２に接続される吸込ダクト４０とを備え、電装品箱３０は吸込ダクト４０内の仕切板４３に取り付けられる。【選択図】図６
2016031214.tif 000002
【特許請求の範囲】
【請求項１】
熱交換器と送風ファンを備え空気流通路の一方の端に吹出開口が設けられるとともに前記空気流通路の他方の端に吸込開口が設けられた室内機と、該室内機の制御を行う電装品箱と、室内に向けて取り付けられた吹出グリルと、室内に向けて取り付けられた吸込グリルと、前記室内機の前記吹出開口と前記吹出グリルとの間を接続する吹出ダクトと、前記室内機の前記吸込開口と前記吸込グリルとの間を接続する吸込ダクトと、を備えるダクト型空気調和機において、
前記吸込ダクト内に仕切板を設け、該仕切板に前記電装品箱を取り付けたことを特徴とするダクト型空気調和機。
【請求項２】
請求項１に記載のダクト型空気調和機において、
前記仕切板は、前記吸込ダクト内において空気の流通方向に平行に配置され、前記室内機に対向する上端に切欠きが形成され、該切欠きに前記電装品箱が取り付けられていることを特徴とするダクト型空気調和機。
【請求項３】
請求項１又は２に記載のダクト型空気調和機において、
前記吸込ダクトが、正面板と、該正面板と対向する背面板と、前記正面板と前記背面板の左側を接続する左側面板と、前記正面板と前記背面板の右側を接続する右側面板とを備えた角型の吸込ダクトからなり、
該角型の吸込ダクトの前記正面板の少なくとも一部が前記角型の吸込ダクトに着脱自在のメンテナンス蓋で構成され、
前記電装品箱は、前記電装品箱に設けられた開閉蓋が前記メンテナンス蓋と対面するよう前記仕切板に取り付けられていることを特徴とするダクト型空気調和機。
【請求項４】
請求項３に記載のダクト型空気調和機において、
前記仕切板は、前記角型の吸込ダクトの内部において、前記角型の吸込ダクトの前記左側面板と前記右側面板との間に架け渡すように取り付けられていることを特徴とするダクト型空気調和機。
【請求項５】
請求項３に記載のダクト型空気調和機において、
前記電装品箱は、前記仕切板の前記切欠きと前記角型の吸込ダクトの前記背面板とに取り付けられていることを特徴とするダクト型空気調和機。
【発明の詳細な説明】
【技術分野】
【０００１】
本発明は、空気の流通路をダクトで形成したダクト型空気調和機に関する。
【背景技術】
【０００２】
ダクト型空気調和機は、全体を天井裏に吊して横姿勢で配置（以下、「天吊り配置」と呼ぶ）したり、あるいは横壁の背面側に縦姿勢で配置（以下、「横壁埋込配置」と呼ぶ）することが行なわれている。横壁埋込配置については、特許文献１に記載がある。
【０００３】
ダクト型空気調和機は、設置する室内や家屋の構造に応じて、上記した天吊り配置と横壁埋込配置のいずれかの設置形態を採用する必要があるが、このとき、熱交換器や送風ファン等を備えた室内機に装備する電装品箱を、その室内機に直接取り付けることができない場合、室内機とは別の場所に取り付けなければならない。
【先行技術文献】
【特許文献】
【０００４】
【特許文献１】特開平０７−２３３９６６号公報
【発明の概要】
【発明が解決しようとする課題】
【０００５】
ところが、ダクト型空気調和機の吸込ダクトとして、天吊り配置の場合はフレキシブルダクト又は角ダクトが使用され、横壁埋込配置の場合は角ダクトが使用され、室内機にそれらのダクトが取り付けられるので、室内機の近傍に電装品箱を取り付けるスペースを確保することが難しい。
【０００６】
本発明の目的は、電装品箱を吸込ダクト内に取り付けるようにして、室内機の近傍に電装品箱取付用の特別なスペースを設けることを不要にしたダクト型空気調和機を提供することである。
【課題を解決するための手段】
【０００７】
上記目的を達成するために、請求項１にかかる発明は、熱交換器と送風ファンを備え空気流通路の一方の端に吹出開口が設けられるとともに前記空気流通路の他方の端に吸込開口が設けられた室内機と、該室内機の制御を行う電装品箱と、室内に向けて取り付けられた吹出グリルと、室内に向けて取り付けられた吸込グリルと、前記室内機の前記吹出開口と前記吹出グリルとの間を接続する吹出ダクトと、前記室内機の前記吸込開口と前記吸込グリルとの間を接続する吸込ダクトと、を備えるダクト型空気調和機において、前記吸込ダクト内に仕切板を設け、該仕切板に前記電装品箱を取り付けたことを特徴とする。
【０００８】
請求項２にかかる発明は、請求項１に記載のダクト型空気調和機において、前記仕切板は、前記吸込ダクト内において空気の流通方向に平行に配置され、前記室内機に対向する上端に切欠きが形成され、該切欠きに前記電装品箱が取り付けられていることを特徴とする。
【０００９】
請求項３にかかる発明は、請求項１又は２に記載のダクト型空気調和機において、前記吸込ダクトが、正面板と、該正面板と対向する背面板と、前記正面板と前記背面板の左側を接続する左側面板と、前記正面板と前記背面板の右側を接続する右側面板とを備えた角型の吸込ダクトからなり、該角型の吸込ダクトの前記正面板の少なくとも一部が前記角型の吸込ダクトに着脱自在のメンテナンス蓋で構成され、前記電装品箱は、前記電装品箱に設けられた開閉蓋が前記メンテナンス蓋と対面するよう前記仕切板に取り付けられていることを特徴とする。
【００１０】
請求項４にかかる発明は、請求項３に記載のダクト型空気調和機において、前記仕切板は、前記角型の吸込ダクトの内部において前記角型の吸込ダクトの前記左側面板と前記右側面板との間に架け渡すように取り付けられていることを特徴とする。
【００１１】
請求項５にかかる発明は、請求項３に記載のダクト型空気調和機において、前記電装品箱は、前記仕切板の前記切欠きと前記角型の吸込ダクトの前記背面板とに取り付けられていることを特徴とする。
【発明の効果】
【００１２】
本発明によれば、電装品箱が吸込ダクト内の仕切板に取り付けられるので、電装品箱取付用の特別なスペースを新たに設けることが不要になる。
【図面の簡単な説明】
【００１３】
【図１】本発明の第１の実施例のダクト型空気調和機の室内機と吸込ダクトの部分斜視図である。
【図２】同実施例の電装品箱の斜視図である。
【図３】同実施例のダクト型空気調和機の室内機に吸込ダクトの部分を取り付け状態の説明図である。
【図４】本発明の第２の実施例のダクト型空気調和機の室内機と吸込ダクトの部分の斜視図である。
【図５】本発明の第２の実施例のダクト型空気調和機の正面図である。
【図６】同実施例のダクト型空気調和機の吸込ダクトにメンテナンス蓋を取り付けた状態の斜視図である。
【図７】同実施例のダクト型空気調和機の吸込ダクトにメンテナンス蓋を取り外した状態の斜視図である。
【図８】同実施例のダクト型空気調和機の室内機と吸込ダクトの取り付け状態を右側から見た内部の説明図である。
【図９】同実施例のダクト型空気調和機の室内機と電装品箱と吸込ダクトの取り付け状態を左側から見た内部の部分説明図である。
【図１０】同実施例の吸込ダクトへの電装品箱の取り付けの説明図である。
【発明を実施するための形態】
【００１４】
＜第１の実施例＞
図１〜図３に第１の実施例の天吊り配置の場合のダクト型空気調和機の要部を示す。１０は室内機であり、横姿勢で家屋構造体１００の天井裏のアングル１０１にボルトＡ１により吊り下げられる（図３）。この室内機１０の空気流通方向の一方の端には吹出開口１１が設けられ、他方の端には吸込開口１２が設けられている（図１）。
【００１５】
そして、吹出開口１１に吹出ダクト２０Ｂの基端が取り付けられ、吸込開口１２には、室内に向けて取り付けられる吸込ダクト２０Ａの基端が取り付けられる。吹出ダクト２０Ｂの先端は天井２００に室内に向けて取り付けられる吹出グリル（図示せず）に接続され、吸込ダクト２０Ａの先端は天井２００に取り付けられた吸込グリル（図示せず）に接続される。
【００１６】
吸込ダクト２０Ａは、丸形状のフレキシブルダクト２１とダクトアダプタ２２とで構成される。ダクトアダプタ２２は、室内機１０の四角形状の吸込開口１２に丸形状のフレキシブルダクト２１を取り付けるためのものであり、吸込開口１２にはめ込まれる角枠２２ａとフレキシブルダクト２１がはめ込まれる丸枠２２ｂを有する。そして、丸枠２２ｂは角枠２２ａの中心からずれた位置に形成され、そのずれによりできた角枠２２ａの図１において左側の領域に上向きのフック２２ｃが設けられている（図３の拡大図）。
【００１７】
３０は電装品箱であり、図２に示すように、長手方向の両側（図２では上下面）を閉じる正方形の平面板３１，３２と長手方向と直行する方向の周囲（図２では横方向周囲）を閉じる長方形の平面板３３〜３６からなる６面体の形状である。図２において下面となる平面板３１は、ねじＢ１により着脱自在に組み立てられ、第１の開閉蓋として機能している。また、固定で着脱できないよう組み立てられる平面板３３にはフック３３ａと取付片３３ｂが取り付けられている。さらに、平面板３３の隣（図２において右隣）の平面板３４は、固定で着脱できないよう組み立てられる平面板３４Ａと着脱自在に組み立てられる平面板３４Ｂとで構成されている。さらに、平面板３４と対向する平面板３５には、平面板３１に近い側に取付片３５ａが取り付けられている。
【００１８】
さて、本実施例では、図３に示すように、この電装品箱３０の平面板３３のフック３３ａをダクトアダプタ２２のフック２２ｃに係止することで、仮固定により電装品箱３０の脱落を防止してから、同じ平面板３３の取付片３３ｂをダクトアダプタ２２にビスＢ２で固定する。これにより、電装品箱３０がダクトアダプタ２２に、フレキシブルダクト２１と並ぶように取り付けられ、平面板３１が下方を向くようになる。
【００１９】
よって、図３に示すように、天井２００の上方に横姿勢で設置されたダクト型空気調和機の電装品箱３０に対して、その下面からアクセスし、ビスＢ１を緩めて平面板３１を取り外し、電装品箱３０に対する電線接続等の作業を行うことができる。
【００２０】
このように、第１の実施例では、電装品箱３０が、室内機１０の吸込開口１２の側のダクトアダプタ２２において、フレキシブルダクト２１と横並びとなるように配置されるので、その電装品箱３０が室内機１０の外形からはみ出ることが防止され、特別なスペースが不要となる。また、電装品箱３０は、着脱自在の平面板３１を下面にした状態で取り付けられるので、下面からの電装品箱３０のメンテナンスも容易となる。
【００２１】
＜第２の実施例＞
図４〜図１０に第２の実施例の横壁埋込配置の場合のダクト型空気調和機の要部を示す。本実施例では室内機１０の吸込開口１２に取り付ける吸込ダクトとして、角型の吸込ダクト４０を使用する。この角型の吸込ダクト４０は、室内機１０の吸込開口１２に取り付けられる角ダクト４１と室内に向けて取り付けられる吸込グリル５０が取り付けられる吸込口ダクト４２とを筒形状に結合して構成され、吸込口ダクト４２を下部にしてスペーサ６０上に載置され、室内機１０を下部から支えている（図５、図８）。吸込ダクト４０上の室内機１０は、背面が奥壁５００に対して係止されることで、前方向に転倒しないようになっている。
【００２２】
スペーサ６０は、前壁４００の幅木４１０の高さに対応する高さを有し、床３００の上に設置されている（図５、図８）。また、吹出ダクト２０Ｂは室内機１０の吹出開口１１と室内に向けて取り付けられる吹出グリル７０との間に接続されている。
【００２３】
角ダクト４１は、図８に示すように、角ダクト４１に対して着脱可能なメンテナンス蓋４１ａを有する正面板４１ｂと、この正面板４１ｂに対向する背面板４１ｃと、図７に示すように、正面板４１ｂと背面板４１ｃの左側を接続する左側面板４１ｄと、正面板４１ｂと背面板４１ｃの右側を接続する右側面板４１ｅとで構成されている。背面板４１ｃの内壁には、図８、図１０に示すように、前記メンテナンス蓋４１ａに対面する位置に、フック４１ｆが取り付けられている。
【００２４】
そして、その正面板４１ｂと背面板４１ｃの間には、左側面板４１ｄと右側面板４１ｅに跨るように、騒音抑制用の仕切板４３が取り付けられている。これにより、仕切板４３は吸込ダクト４０内を流通する吸込空気の流れと平行におかれることになる。この仕切板４３には、その正面と背面の両面に吸音材が貼付され、角ダクト４１内を通過する吸込空気流の振動により発生する騒音を吸収するようになっている。また、この仕切板４３は、横幅が角ダクト４１の横幅と同じであり、右側面板４１ｅの側の上部に四角形状の切欠き部４３ａが形成され、その切欠き部４３ａのほぼ中央から上方向に伸びるように、ガイド突起４３ｂが形成されている（図８〜図１０）。
【００２５】
電装品箱３０は、図２では説明しなかったが、さらに平面板３３と対抗する側の平面板３６上において、その平面板３６の隣の平面板３１から遠い側にガイド孔３６ａが形成されている（図１０）。また、本実施例では、第１の開閉蓋としての平面板３１を閉じていたビスＢ１と同様なビスＢ４を、前記した平面板３４Ｂの着脱組立用に使用する。これにより、その平面板３４Ｂは第２の開閉蓋として機能する。
【００２６】
さて、本実施例では、角ダクト４１のメンテナンス蓋４１ａを図６に示す状態から図７に示すように取り外した状態で、図１０に示すように、電装品箱３０の平面板３６を下面として、その平面板３６のガイド孔３６ａを仕切板４３の切欠き部４３ａのガイド突起４３ｂに差し込む。さらにその電装品箱３０の平面板３５に取り付けた取付片３５ａを角ダクト４１の背面板４１ｄｃに取り付けたフック４１ｆに合わせてから、その取付片３５ａとフック４１ｆをビスＢ３で結合する。これにより、電装品箱３０は角ダクト４１の内部において、メンテナンス蓋４１ａの奥側で且つ室内機１０の吸込口１２から若干離れた下方に、装着される（図８、図９）。
【００２７】
このとき、図７、図８に示すように、メンテナンス蓋４１ａを取り外した状態で、電装品箱３０のビスＢ４を取り外すことにより、電装品箱３０の平面板３４Ｂを取り外すことができる。これにより、その電装品箱３０の配線接続等の作業を行うことができる。
【００２８】
メンテナンス終了の後は、角ダクト４１の平面板３４ＢをビスＢ４で閉じてからメンテナンス蓋４１ａを閉じ、さらに前壁４００のメンテナンス扉４０２（図５）を閉じる。これにより、そのダクト型空気調和機全体は、縦姿勢の状態で前壁４００と奥壁５００の間に隠れることになる。
【００２９】
以上のように、第２の実施例では、角型の吸込ダクト４０を構成する角ダクト４１の内部において、仕切板４３の上に位置するように電装品箱３０が支持されて搭載されるので、電装品箱３０の搭載用の特別のスペースを室内機の近傍に特別に確保する必要がない。しかもその電装品箱３０は角ダクト４１を通過する吸込空気流によって冷却されるので、電装品箱３０の発熱を抑制することができる。このとき、電装品箱３０は流路内に位置するが、その位置は室内機１０の吸込開口１２から離れた下方の位置であるので、室内機１０の吸込開口１２に吸い込まれる空気の流通が妨げられることもない。
【００３０】
＜第３の実施例＞
第２の実施例で説明したダクト型空気調和機を、第１の実施例と同様に天井２００の裏に設置する場合は、室内機１０と吸込ダクト４０と吸込ダクト２０Ｂは図４に示すような横姿勢となる。このため、メンテナンス蓋４１ａが下面を向くので、そのメンテナンス蓋４１ａを取り外せば、そこに現れる電装品箱１０の平面板３４ＢのビスＢ４を緩めて、その平面板３４Ｂを開くことができ、第２の実施例と同様にその電装品箱３０の配線接続等の作業を行うことができる。
【符号の説明】
【００３１】
１０：室内機、１１：吹出開口、１２：吸込開口
２０Ａ：吸込ダクト、２０Ｂ：吹出ダクト、２１：フレキシブルダクト、２２：ダクトアダプタ、２２ａ：角枠、２２ｂ：丸枠、２２ｃ：フック
３０：電装品箱、３１：着脱可能な正方形の平面板（第１の開閉蓋）、３２：固定の正方形の平面板、３３：固定の長方形の平面板、３３ａ：フック、３３ｂ：取付片、３４：長方形の平面板、３４Ａ：固定の平面板、３４Ｂ：着脱可能な平面板（第２の開閉蓋）、３５：固定の長方形の平面板、３５ａ：取付片、３６：固定の長方形の平面板、３６ａ：ガイド孔
４０：角型の吸込ダクト、４１：角ダクト、４１ａ：メンテナンス蓋、４１ｂ：前面板、４１ｃ：背面板、４１ｄ：左側面板、４１ｅ：右側面板、４１ｆ：フック、４２：吸込口ダクト、４３：仕切板、４３ａ：切欠き部、４３ｂ：突起
５０：吸込グリル
６０：スペーサ
７０：吹出グリル
１００：家屋構造体、１０１：アングル
２００：天井
３００：床面
４００：前壁、４０１：幅木、４０２：メンテナンス扉
５００：奥壁
Ａ１：ボルト
Ｂ１〜Ｂ４：ビス
【図１】
2016031214.tif 000003
【図２】
2016031214.tif 000004
【図３】
2016031214.tif 000005
【図４】
2016031214.tif 000006
【図５】
2016031214.tif 000007
【図６】
2016031214.tif 000008
【図７】
2016031214.tif 000009
【図８】
2016031214.tif 000010
【図９】
2016031214.tif 000011
【図１０】
2016031214.tif 000012